(57)【要約】 【課題】瓦を葺く際の屋根上でのピッチの割り出し作業や一段毎の墨出し作業を必要とせず、複数本の瓦桟を一度に屋根まで運ぶことを可能とし、瓦葺きを迅速、的確、安全に行うことができる瓦桟と、この瓦桟による瓦の固定構造を提供することを課題とする。【解決手段】本発明は、瓦を葺く際に野地板に固定される瓦桟１において、複数の横瓦桟２とこれに直交する竪瓦桟３とからなり、あらかじめ葺き足に応じて所定間隔に離間された状態で平行に並置された横瓦桟２が竪瓦桟３によって連結されたことを特徴とする瓦桟１である。【選択図】  図１
2008144480.tif 000002
【特許請求の範囲】
【請求項１】
瓦を葺く際に野地板に固定される瓦桟（１）において、複数の横瓦桟（２）とこれに直交する竪瓦桟（３）とからなり、あらかじめ葺き足に応じて所定間隔に離間された状態で平行に並置された横瓦桟（２）が竪瓦桟によって連結されたことを特徴とする瓦桟。
【請求項２】
横瓦桟（２）と竪瓦桟（３）とが連結部において回動可能に連結され、折り畳み可能であることを特徴とする請求項１記載の瓦桟。
【請求項３】
所定間隔に離間された棟側の横瓦桟（２）と軒側の横瓦桟（２）の間に掛け渡されるように瓦（４）を固定する瓦の固定構造において、瓦（４）の上端は棟側の横瓦桟（２）に固定し、瓦（４）の下部については、バネクリップ（５）の上部に形成した止め部（５ｂ）を瓦（４）の側部に設けた張出部（４ｂ）に引っ掛けると共に、前記バネクリップ（５）の下部に形成した係止部（５ｃ）を軒側の横瓦桟（２）に係止させることにより固定するようにしたことを特徴とする請求項１または２に記載の瓦桟を使用した瓦の固定構造。
【請求項４】
前記バネクリップ（５）が、弾性を有する金属線材を曲げ加工して形成したものであり、止め部（５ｂ）と係止部（５ｃ）の間に環状に曲げたスプリング部（５ｈ）を形成していることを特徴とする請求項３に記載の瓦桟を使用した瓦の固定構造。
【請求項５】
瓦（４）の上端の棟側の横瓦桟（２）への固定を、瓦（４）の上端に取り付けた固定クリップ（６）と棟側の横瓦桟（２）との係合により行うようにしたことを特徴とする請求項３に記載の瓦桟を使用する瓦の固定構造。
【発明の詳細な説明】
【技術分野】
【０００１】
この発明は、瓦葺き屋根を施工するときに用いる瓦桟と該瓦桟による瓦の固定構造に関する。
【背景技術】
【０００２】
従来の瓦葺き屋根の施工は、屋根上において、垂木に張り付けた野地板の上に防水シートや瓦下葺き材を敷いた後、その上に瓦桟取り付けの位置決めのため、水平及び垂直方向に瓦割り寸法あるいは屋根材の大きさに合わせて墨出し作業を行い、この墨出し線に沿って複数本の瓦桟を敷設し、この瓦桟に桟瓦に設けられた係止部を釘で係止させて瓦を葺いて行われている。ここで、上記墨出し作業では、屋根の全面にわたって、複数の横墨と縦墨を入れる必要があった。（例えば、特許文献１）
しかしながら、このような屋根の上での墨出し作業は、野地板に一段毎に繰り返し行う必要があり、多くの経験と熟練を必要とするとともに、個別にある複数本の瓦桟を屋根まで運び上げなければならないため多大な手間を要するだけでなく、常に危険と隣り合わせであった。
【特許文献１】特開平７−２３３５９６号公報
【発明の開示】
【発明が解決しようとする課題】
【０００３】
そこで、この発明は、瓦を葺く際の屋根上でのピッチの割り出し作業や一段毎の墨出し作業を必要とせず、複数本の瓦桟を一度に屋根まで運ぶことを可能とし、瓦葺きを迅速、的確、安全に行うことができる瓦桟と、この瓦桟による瓦の固定構造を提供することを課題とする。
【０００４】
さらに、この発明は、上記瓦桟を使用した瓦の固定構造であって、強風による大きな風荷重（揚力）や地震などによる上下振動がかかっても、瓦が割れないようにした瓦の固定構造を提供することを課題とする。
【課題を解決するための手段】
【０００５】
この発明は、上記課題を解決するため、瓦を葺く際に野地板に固定される瓦桟において、複数の横瓦桟とこれに直交する竪瓦桟とからなり、あらかじめ葺き足に応じて所定間隔に離間された状態で平行に並置された横瓦桟が竪瓦桟によって連結されたことを特徴とする。
【０００６】
なお、横瓦桟と竪瓦桟とが連結部において回動可能に連結し、折り畳み可能となるようにしてもよい。
【０００７】
また、上記瓦桟を使用した瓦の固定構造であって、所定間隔に離間された棟側の横瓦桟と軒側の横瓦桟の間に掛け渡されるように瓦を固定する瓦の固定構造において、瓦の上端は棟側の横瓦桟に固定し、瓦の下部については、バネクリップの上部に形成した止め部を瓦の側部に設けた張出部に引っ掛けると共に、前記バネクリップの下部に形成した係止部を軒側の横瓦桟に係止させることにより固定するようにしたことを特徴とする。
【０００８】
なお、前記バネクリップが、弾性を有する金属線材を曲げ加工して形成したものであり、止め部と係止部の間に環状に曲げたスプリング部を形成したものとしてもよい。
【０００９】
また、瓦の上端の棟側の横瓦桟への固定を、瓦の上端に取り付けた固定クリップと棟側の横瓦桟との係合により行うようにしてもよい。
【発明の効果】
【００１０】
この発明の瓦桟は、上記のような構成をしているので、瓦を葺く際の屋根上でのピッチの割り出し作業や一段毎の墨出し作業を必要とせず、複数本の瓦桟を一度に屋根まで運ぶことを可能とし、瓦葺きを迅速、的確、安全に行うことができる。
【００１１】
また、上記瓦桟を使用した本発明の瓦の固定構造は、上記のような構成をしているので、強風による大きな風荷重（揚力）や地震などによる上下振動がかかっても、瓦が割れないようにすることができる。
【発明を実施するための最良の形態】
【００１２】
以下に、この発明の瓦桟およびこの瓦桟による瓦の固定構造を実施するための最良の形態としての実施例について詳細に説明する。
【実施例】
【００１３】
図１はこの発明の瓦桟の正面図であり、図２はこの発明の瓦桟の折り畳み状態を示す正面図であり、図３はこの発明の瓦桟の使用状態を示す斜視図であり、図４はこの発明の瓦の固定構造を示す斜視図であり、図５はこの発明に使用するバネクリップの側面図であり、図６は固定クリップを使用して瓦の上端を瓦桟に固定した状態を示す縦断面図であり、図７はバネクリップを使用して瓦の下端を瓦桟に固定した状態を示す斜視図であり、図８はバネクリップを使用して瓦の下端を瓦桟に固定した状態を示す桁行方向の断面図である。
【００１４】
この発明の瓦桟は、図１乃至図３に示すように、瓦４を葺く際に野地板Ａに固定される瓦桟１であって、平行に並置された複数の横瓦桟２とこれに直交する竪瓦桟３とからなる。
【００１５】
具体的には、本実施例において、横瓦桟２は桁行方向に長い瓦桟であり、竪瓦桟３は流れ方向に長い瓦桟であって、葺き足に応じて一定間隔で平行に並べられた４本の横瓦桟２が、その両端部付近において２本の竪瓦桟３によって連結されている。横瓦桟２は、アルミ合金や鋼板などの金属や合成樹脂からなるものとし、押出成形にて形成されたものであり、横瓦桟２の上部には、図４に示すように、一対の屈曲部２ａが対向して形成されている。なお、本実施形態において、横瓦桟２の寸法を、幅４０ｍｍ、高さ１６．５ｍｍとしている。横瓦桟２上には、所定間隔ごとにバーリング加工Ｂが施してあり、釘などによる瓦桟１の野地板Ａへの固定を容易にする。ここで、このバーリング加工Ｂを、従来瓦を葺くときの目安として瓦桟に入れていた縦墨の代わりとして、瓦寸法に合わせて設けるようにしてもよい。これにより、瓦を葺く作業をさらに効率的に行うことができる。
【００１６】
竪瓦桟３は、アルミ合金や鋼板などの金属や合成樹脂からなる薄板状（本実施形態においては、高さ１．５ｍｍ、幅２０ｍｍ）の部材であり、その上下端部付近には野地板Ａへの固定用としてバーリング加工Ｂが施されている。薄板状とすることにより、横瓦桟２を野地板Ａに固定する際に邪魔にならず、確実に固定することができる。また、竪瓦桟３の厚さ分だけ、横瓦桟２と野地板Ａやその上に敷き詰められた防水シート面との間に隙間ができるため、浸水した雨水をこの隙間から下方へ排水することができ、雨や結露により発生した水滴により瓦桟の腐食を防止することができる。
【００１７】
横瓦桟２と竪瓦桟３とは、その連結部においてリベットＲにより回動可能に連結されているため、図２に示すように、折り畳み可能となっている。これにより、全体が嵩張らず、梱包や搬送が容易になると共に、複数組の瓦桟を一気に地上から屋根へ運び上げることが可能となる。
【００１８】
なお、上述の例では、横瓦桟２が４本、竪瓦桟３が２本の組合せからなる瓦桟１としているが、これに限られたものではなく、屋根全体の大きさやその形状、瓦の寸法などに応じて、適宜その組み合わせを自由に変えることができる。
【００１９】
瓦４は、一般に平瓦と呼ばれる瓦であり、上端には図６に示すように、下方に突出する略Ｖ字形の凸部４ａを２箇所に形成し、側部には図４に示すように、張出部４ｂを形成している。さらに、前記張出部４ｂの側端部上面には、隆起突条４ｃを形成している。
【００２０】
バネクリップ５は、図５に示すように、弾性を有する金属線材を曲げ加工して形成され、縦方向に伸びる連結部５ａの上部に止め部５ｂを形成し、連結部５ａの下部に係止部５ｃを形成したものである。止め部５ｂは、瓦４の張出部４ｂの隆起突条４ｃを乗り越えて係止するように前後のコ字状部５ｄとその間を連結する連結部５ｅからなり、係止部５ｃは横瓦桟２の屈曲部２ａに係止するコ字状部５ｆと、その先端より延設された突出部５ｇからなり、連結部５ａの中央には環状に曲げて伸縮可能としたスプリング部５ｈを形成している。
【００２１】
固定クリップ６は、アルミ合金を押出成形して形成された固定クリップであり、図６に示すように、上下面６ａ、６ｂ及び前後面６ｃ、６ｄからなり、上面６ａは瓦４の凸部４ａの上側と係合して瓦４の上側を押さえ、後面６ｄの先端で瓦４の下側を押さえ、凸部４ａの部分を挟持するようになっている。さらに、前後面６ｃ、６ｄには係止溝部６ｅ、６ｆが形成されており、係止溝部６ｅ、６ｆに横瓦桟２の屈曲部２ａの先端が嵌入可能になっている。
【００２２】
以上がこの発明に関連する各部品の説明であり、次に瓦を葺くときの手順について説明する。
【００２３】
先ず、野地板Ａあるいはその上に敷き詰めた防水シート上に、瓦桟１を敷設するための基準となる横墨と縦墨をそれぞれ１本ずつ入れる。ただし、この時の墨出し作業は必須というものではなく、瓦桟１を敷設するのに基準となるマーク（印）が野地板Ａにあれば省略することも可能である。
【００２４】
次に、図３に示されるように、横瓦桟２と竪瓦桟３との組み合わせからなる瓦桟１を上記横墨と縦墨あるいはその他のマークに合わせて野地板Ａあるいは防水シート上に広げて並べるとともに、竪瓦桟３の上下端部付近に設けられたバーリング加工Ｂ部分において釘Ｎなどを打ち込んで竪瓦桟３を固定する。その後、同様に、横瓦桟２に設けられたバーリング加工Ｂ部分においても釘Ｎなどを打ち込んで野地板Ａに横瓦桟２を固定する。このとき、複数本の横瓦桟２はあらかじめ葺き足の寸法に合わせて所定間隔に離間されているので、屋根上での墨出し作業は不要であり、その後は、以下に示すように瓦を棟側の横瓦桟と軒側の横瓦桟の間に掛け渡されるように並べて固定していけばよい。
【００２５】
瓦４を瓦桟１に固定する場合、まず固定クリップ６を、図６に示すように、瓦４の上端に設けられた凸部４ａに係止させた状態で棟側の横瓦桟２の屈曲部２ａ、２ａの間に圧入する。これにより、固定クリップ６の係止溝６ｅ、６ｆ内に屈曲部２ａ、２ａの先端が嵌入され、瓦４の上端が棟側の横瓦桟２に固定される。
【００２６】
次に、図７及び図８に示すように、瓦４の側部に設けた張出部４ｂにバネクリップ５の上部に形成した止め部５ｂを引っ掛けると共に、瓦４の下部の下方に位置する軒側の横瓦桟２の屈曲部２ａに前記バネクリップ５の下部に形成した係止部５ｃを係止させて、瓦４の下部を軒側の横瓦桟２に固定する。このとき、バネクリップ５のスプリング部５ｈは下段の瓦４の上端面に沿うようになり、バネクリップ５の回動を阻止する役割もしている。また、瓦４の下部をバネクリップ５で固定したときには、下段の瓦４の上部を横瓦桟２側に押さえ付ける役割もするので、瓦４の固定が確実となる。
【００２７】
上述したように、本発明の瓦桟１を使用すれば、熟練を要する屋根上での墨出し作業を最小限に抑えることができるため、作業者の安全性が向上すると共に、瓦葺きの迅速性及び的確性も向上する。また、上述したような、本発明の瓦桟１を使用した瓦の固定構造により、瓦をその上端及び下端において固定しているので、瓦の浮き上がりを確実に防止できる。また、バネクリップ５として、弾性を有する金属線材を曲げ加工して形成したものとすれば、従来からの瓦を固定したときに生じる隙間を利用して取り付けることができるので、従来の瓦に構造的な変更を加えることなしに取り付けることができる。さらに、止め部５ｂと係止部５ｃの間に環状に曲げたスプリング部５ｈを形成しているので、その弾性力により瓦を押さえ付ける力が加わり、より瓦４の固定が確実になる。
【００２８】
また、瓦４の上端を固定クリップ６によって棟側の横瓦桟２に固定するものとしているので、瓦４の上端の固定が簡単になり、施工がより簡単になる。
【図面の簡単な説明】
【００２９】
【図１】この発明の瓦桟の正面図。
【図２】この発明の瓦桟の折り畳み状態を示す正面図。
【図３】この発明の瓦桟の使用状態を示す斜視図。
【図４】この発明の瓦の固定構造を示す斜視図。
【図５】この発明に使用するバネクリップの側面図。
【図６】固定クリップを使用して瓦の上端を瓦桟に固定した状態を示す縦断面図。
【図７】バネクリップを使用して瓦の下端を瓦桟に固定した状態を示す斜視図。
【図８】バネクリップを使用して瓦の下端を瓦桟に固定した状態を示す桁行方向の断面図。
【符号の説明】
【００３０】
１      瓦桟
２      横瓦桟
３      竪瓦桟
４      瓦
４ａ    張出部
５      バネクリップ
５ｂ    止め部
５ｃ    係止部
５ｈ    スプリング部
６      固定クリップ
【図１】
2008144480.tif 000003
【図２】
2008144480.tif 000004
【図３】
2008144480.tif 000005
【図４】
2008144480.tif 000006
【図５】
2008144480.tif 000007
【図６】
2008144480.tif 000008
【図７】
2008144480.tif 000009
【図８】
2008144480.tif 000010